(57)【要約】【課題】  治療用インスツルメントにおいて、滅菌可、滅菌不可を問わずに診療中の唾液や血液の飛散、感染から治療用インスツルメントを保護せんとするものである。【解決手段】  汚染防止用カバーの装着可能な医療用インスツルメントであって、前記医療用インスツルメントの先端には滅菌可能で着脱可能な治療部材を設け、前記汚染防止用カバーを前記医療用インスツルメントに装着時に汚染防止用カバーから露出する治療部材を貫通する穴の隙間を埋めるための汚染防止用カバー密閉手段を設けるように構成する。【選択図】図２
2018121798.tif 000002
【特許請求の範囲】
【請求項１】
医療用インスツルメント本体と、滅菌可能で着脱可能な治療部材と、汚染防止用カバーと、前記治療部材を前記医療用インスツルメント本体に装着する際に前記汚染防止用カバーから露出する治療部材貫通穴の隙間を埋めるための汚染防止用カバー密閉手段とを設けたことを特徴とする汚染防止用カバーの装着可能な医療用インスツルメント。
【請求項２】
前記汚染防止用カバー密閉手段は滅菌可能な弾性材料で成形され、前記汚染防止用カバーを挟んで前記医療用インスツルメント先端に着脱可能に装着されること特徴とする請求項１に記載の医療用インスツルメント。
【請求項３】
前記滅菌可能な弾性材料は熱硬化性樹脂とすることを特徴とする請求項２に記載の医療用インスツルメント。
【請求項４】
前記汚染防止用カバーはディスポーザブルカバーとすることを特徴とする請求項１に記載の医療用インスツルメント。
【請求項５】
前記医療用インスツルメントは歯科用スケーラであり前記治療部材はスケーラチップであること特徴とする請求項１乃至４のいずれか１項に記載の医療用インスツルメント。
【請求項６】
前記医療用インスツルメントは歯科用タービンまたは歯科用マイクロモータハンドピースであり、前記治療部材は切削バーであることを特徴とする請求項１乃至４のいずれか１項に記載の医療用インスツルメント。
【請求項７】
医療用インスツルメント本体の先端に滅菌可能で着脱可能な治療部材を設け、汚染防止用カバーを前記医療用インスツルメントに装着する際に汚染防止用カバー密着キャップを使用して、前記汚染防止用カバーから露出する前記治療部材を貫通する穴の隙間を埋め、これにより汚染防止用カバーの前記穴からの感染を防止することを特徴とする医療用インスツルメントの感染防止方法。
【発明の詳細な説明】
【技術分野】
【０００１】
本発明は医療用インスツルメントに装着可能な汚染防止用カバーキャップ及び医療用インスツルメントの感染防止方法に関するものである。
【背景技術】
【０００２】
従来の汚染予防としては公開特許公報２０１６−３９８４６号に示されるような治療器具用カバー部材がある。
【０００３】
この従来の治療器具用カバー部材の先端部分には治療部材を連結するために穴をあけておく必要があり、結果として実際の治療部材である、例えばスケーラ―チップとインスツルメント本体の先端部分との連結個所を覆うことはできない。
【０００４】
従って、従来の治療器具用カバー部材では、治療部材とインスツルメント本体の先端部分との連結部分の隙間から診療中に唾液や血液の飛散、感染が生じるのを防止することはできない。
【先行技術文献】
【特許文献】
【０００５】
【特許文献１】公開特許２０１６−３９８４６号公報
【発明の概要】
【発明が解決しようとする課題】
【０００６】
本発明の目的は、治療用インスツルメントにおいて、滅菌可、滅菌不可を問わずに診療中の唾液や血液の飛散、感染から治療用インスツルメントを保護することのできる汚染防止用カバーキャップを提供せんとするものである。
【０００７】
本発明の他の目的は医療用インスツルメントの感染防止方法を提供せんとするにある。
【課題を解決するための手段】
【０００８】
本発明汚染防止用カバーキャップの装着可能な医療用インスツルメントは、医療用インスツルメント本体と、滅菌可能で着脱可能な治療部材と、汚染防止用カバーと、前記治療部材を前記医療用インスツルメント本体に装着する際に前記汚染防止用カバーから露出する治療部材貫通穴の隙間を埋めるための汚染防止用カバー密閉手段とを設けたことを特徴とする。
【０００９】
また、本発明医療用インスツルメントでは、前記汚染防止用カバー密閉手段は滅菌可能な弾性材料で成形し、前記汚染防止用カバーを挟んで前記医療用インスツルメント先端に着脱可能に装着する。
【００１０】
本発明医療用インスツルメントでは、前記滅菌可能な弾性材料は熱硬化性樹脂とする。
【００１１】
本発明医療用インスツルメントでは、前記汚染防止用カバーはディスポーザブルカバーとする。
【００１２】
本発明医療用インスツルメントでは、前記医療用インスツルメントは歯科用スケーラとし、前記治療部材はスケーラチップとする。
【００１３】
本発明医療用インスツルメントでは、前記医療用インスツルメントは歯科用タービンまたは歯科用マイクロモータハンドピースとし、前記治療部材は切削バーとする。
【００１４】
本発明医療用インスツルメントの感染防止方法は、医療用インスツルメント本体の先端に滅菌可能で着脱可能な治療部材（スケーラ―チップ、切削バー）を設け、汚染防止用カバー（密閉手段）を前記医療用インスツルメントに装着する際に汚染防止用カバー密着キャップを使用して、前記汚染防止用カバーから露出する前記治療部材を貫通する穴の隙間を埋め、これにより汚染防止用カバーの前記穴からの感染を防止することを特徴とする。
【発明の効果】
【００１５】
本発明では、ディスポーザブルカバー(以下、ディスポカバーと称する)を装着するインスツルメントにおいて、ディスポカバーから露出する作業部位を通す穴の隙間からの感染を、本発明汚染防止用カバーキャップを装着し、隙間を埋めることで感染を、防止することが可能である。
【００１６】
また、本発明では、本発明汚染防止用カバーキャップを用いることで滅菌環境がない現場でも、インスツルメントを感染から防ぐことが可能である。
【００１７】
更に、本発明汚染防止用カバーキャップはシリコンゴム等の滅菌可能な熱硬化性樹脂を使用することで何度でも滅菌して再利用が可能である。
【発明を実施するための最良の形態】
【００１８】
本発明医療用インスツルメントは歯科用スケーラとし、図２、図１ａ、図１ｂ及び図１ｃ並びに図３に示すように構成する。図３は図１ｃのＡ−Ａ断面の先端部を示す。また、図２には歯科用スケーラ本体２にスケーラチップを装着した先端部の断面図を示す。この先端部には図３に示すようにスケーラチップ固定具３を嵌合し、この固定具３の先端４の外周には雄ネジ５を形成する。
なお、本実施例ではスケーラ本体２の先端部にスケーラチップ固定具３を嵌合して構成した例を示すが、スケーラチップ固定具３と歯科用スケーラ本体２と一体に形成し、歯科用スケーラ本体２とし、先端４の外周に雄ネジを形成してもよい。
【実施例１】
【００１９】
歯科用スケーラ本体２にはその外側に汚染防止用カバー６によって歯科用スケーラ本体２を包み、その先端に突出させたスケーラチップ固定具３の先端部分４は前記汚染防止用カバー６に開けた孔３０から突出させ、この突出先端部分４に図６に示す治療部材であるスケーラチップ７を螺着して、歯科用スケーラとして使用可能状態にしている。
患者の治療部位と直接接触するスケーラチップ７は着脱可能であり治療前にオートクレーブ等で患者ごとに滅菌して使用する。
しかし、このまま歯科治療を行うと、螺着したスケーラチップ７と汚染防止用カバー６との接触部から、治療中に唾液や血液が歯科用スケーラ本体２の表面へ飛散したり、内部へ侵入したりし、歯科用スケーラ本体２が汚染されるため、感染の原因となり歯科用スケーラを滅菌しなければ再び使用し得ない状態となる。
【００２０】
本発明では、螺着したスケーラチップ７の外側に、図４に断面図、図５に斜視図で示す汚染防止用カバー密閉手段として汚染防止用カバーキャップ８を嵌合する。この嵌合に当たって図７に示すトルクレンチ９を使用し、このトルクレンチ９に前記スケーラチップ７を差し込み、図８に示すように、このスケーラチップ７の雌ネジ形成部１０に、汚染防止用カバー密閉手段としてのカバー密閉キャップ８を差し込み、この状態で前記固定具３の先端４の外周に設けた雄ネジ５を前記トルクレンチ９により前記スケーラチップ７の雌ネジ形成部１０に螺着し、緊締した後トルクレンチ９をスケーラチップ７から引き抜いて、歯科用スケーラを治療可能状態にする。
なお前記汚染防止用カバー６はポリエチレン等の安価な素材を使用することで使い捨てのディスポカバーとすることができる。
また前記カバー密閉キャップ８は熱硬化性樹脂、例えばシリコンゴム等を使用することでオートクレーブ等の滅菌器で滅菌することができる。
【００２１】
斯様に構成した歯科用スケーラを患者に使用して歯科治療を行なえば、患者の血液の飛散、感染が生じることはありえず、同一の歯科用スケーラを複数回使用可能となる。
【実施例２】
【００２２】
本例では、医療用インスツルメントとして回転式歯科用タービンの例を示す。本例では、図９ａ、図９ｂに示すように、歯科用タービン２０の周囲全体に亘って汚染防止用カバー２１により囲み、歯科用タービン２０の先端部のみ治療部材としての切削バー２２を取り付けるための孔３１をあける。なお前記切削バー２２は着脱可能であり、治療前にオートクレーブ等で患者ごとに滅菌して使用する。
【００２３】
この状態では切削バー２２の取り付け個所から唾液や血液の飛散、感染等の恐れが生じる。本例では、切削バー２２の取り付け個所に汚染防止用カバー密閉手段としての汚染防止用カバー密閉部材２３を取り付け、唾液や血液の飛散、感染等の防止を行ない得るようにする。
この汚染防止用カバー密閉キャップ２３は図１０に示すように、治療部材としての切削バー２２と接触するリップ部２４を有し、充分にシール性を有するものとして構成する。
【００２４】
本例では斯様にリップ式の充分なシール性を有する汚染防止用カバー密閉部材を用いることによって唾液や血液の飛散、感染等の防止を行ない得るようにしている。
斯かる本例の汚染防止用カバー密閉キャップは回転式歯科用マイクロモータハンドピースにも使用し得ること勿論である。
【図面の簡単な説明】
【００２５】
【図１】図１ａは本発明医療用インスツルメントのスケーラチップを取り外したインスツルメント本体の一例の構成を示す側面図、図１ｂは本発明医療用インスツルメントのスケーラチップを取り外したインスツルメント本体の一例の構成を示す平面図、図１ｃは本発明医療用インスツルメントのスケーラチップ固定具のみを装着した状態のインスツルメント本体の一例の構成を示す平面図である。
【図２】図２は図１ｃのインスツルメント本体のスケーラチップを装着した状態の一部のＡ−Ａ線上の断面図である。
【図３】図３はスケーラチップ固定具をインスツルメント本体の先端部に取り付けた状態を示す断面図である。
【図４】図４は汚染防止用カバー密閉キャップの断面図である。
【図５】図５は汚染防止用カバー密閉キャップの斜視図である。
【図６】図６はスケーラチップの構造を示す側面図である。
【図７】図７はトルクレンチの形状を示す斜視図である。
【図８】図８は本発明医療用インスツルメントのスケーラチップをインスツルメント本体に取り付ける工程を示す説明図である。
【図９】図９aは本発明医療用インスツルメントの歯科用タービンに汚染防止用カバー密閉キャップを装着する状態を示す斜視図、図９ｂは本発明医療用インスツルメントの歯科用タービンに汚染防止用カバー密閉キャップを装着する状態を示す側面図、図９ｃは汚染防止用カバー密閉キャップの斜視図である。
【図１０】図１０は切削バーに対する汚染防止用カバーの密着状態を示す説明図である。
【符号の説明】
【００２６】
２  歯科用スケーラ本体
３  スケーラチップ固定具
４  固定具３の先端
５  雄ネジ
６  汚染防止用カバー
７  スケーラチップ
８  汚染防止用カバーキャップ
９  トルクレンチ
１０  雌ネジ形成部
２０  歯科用タービン
２１  汚染防止用カバー
２２  切削バー
２３  汚染防止用カバー密閉部材
２４  リップ部
３０  孔
３１  孔
【図１】
2018121798.tif 000003
【図２】
2018121798.tif 000004
【図３】
2018121798.tif 000005
【図４】
2018121798.tif 000006
【図５】
2018121798.tif 000007
【図６】
2018121798.tif 000008
【図７】
2018121798.tif 000009
【図８】
2018121798.tif 000010
【図９】
2018121798.tif 000011
【図１０】
2018121798.tif 000012